(57)【要約】【課題】軽量且つ簡単な構造とすることで製造コストを低減し、装飾用紐状体を順次連結することができ、しかも確実な連結と解除とを簡単に行うことができる連結金具を提供する。【解決手段】装飾用紐状体を連結する外殻体と係合体とからなり、前記外殻体は、筒体にて両端に開口部を有するとともに周壁には前記係合体の突起部と嵌合する嵌合穴を設けて形成、前記係合体は、湾曲形状にて前記外殻体より長さ寸法が長く、且つ、前記外殻体内に挿入可能とするとともにバネ作用部と、突起部と、装飾用紐状体と連結する鉤状部分とを設けて形成し、前記係合体を前記外殻体の開口部より挿入して、該外殻体を摺動させることにより、係合体のバネ作用部の弾性にて前記外殻体の嵌合穴と前記突起部を嵌合させてなるものである。【選択図】図１
0003111995.tif 000002
【実用新案登録請求の範囲】
【請求項１】
装飾用紐状体を連結する外殻体と係合体とからなり、前記外殻体は、筒体にて両端に開口部を有するとともに周壁には前記係合体の突起部と嵌合する嵌合穴を設けて形成、
前記係合体は、湾曲形状にて前記外殻体より長さ寸法が長く、且つ、前記外殻体内に挿入可能とするとともにバネ作用部と、突起部と、装飾用紐状体と連結する鉤状部分とを設けて形成し、
前記係合体を前記外殻体の開口部より挿入して、該外殻体を摺動させることにより、係合体のバネ作用部の弾性にて前記外殻体の嵌合穴と前記突起部を嵌合させることを特徴とする連結金具。
【請求項２】
前記外殻体が装飾体に埋め込まれていることを特徴とする請求項１記載の連結金具。
【考案の詳細な説明】
【技術分野】
【０００１】
本考案は、ネックレス、ブレスレット等の装身具に用いる連結金具に関するものである。
【背景技術】
【０００２】
従来のネックレスやブレスレット等の輪状装身具に多く用いられる連結金具として、リング式の引輪金具、カラビナ式のフック金具、あるいは板バネ又はコイルバネを用いた雌雄一対の差込金具等が知られている。
その中で雌雄一対の金具として、ネックレス，ペンダント，ブレスレット，その他の装飾品の自由端を連結する止め具において、一方の自由端に筒形状の嵌合筒を設け、この嵌合筒の長手方向にスリットを形成すると共に、嵌合筒の内周面に突部を形成し、他方の自由端に、前記嵌合筒に嵌入する嵌入体を設け、この嵌入体の側部に前記突部に係止する係止窪部を形成してなる装飾品の止め具がある（例えば、特許文献１参照。）。
【０００３】
しかし、前記止め具は重量が重いために細い軽量のチェーンに用いた場合は着用中に金具がズレ回り、身体の前面等に位置した場合には見た目にも悪く、身体や首の動きによっては頻繁に金具位置を直す必要があるという問題があった。
【０００４】
また、チェーンにペンダントを挿通して下げ飾る場合に於いては、チェーンと接続した当該止め金具を取り外してペンダントを挿通する必要があり、ペンダントを容易に取り付け取り外しには熟練を要しエンドユーザーには着用手段が限られるという欠点があった。
【０００５】
また、従来のフック式金具として、適宜位置に開口部を設け、且つ表面に適宜模様を施してなる装飾体と、フックアームの下端側にペンダント等のアクセサリー掛止用のフック部を設け、且つ前記フックアームの上端側に弾性アームを、ボールチェーン等の鎖繋ぎ用の繋ぎ部を介して開閉自在に連設してなるフック具とを形成し、前記装飾体の開口部に前記フック具の支持アーム及び弾性アームを、前記繋ぎ部が上方へ突出されるように下方から差込んで回動自在に支持してなるアクセサリーの取付具がある（例えば、特許文献２参照。）。
【０００６】
しかし、上記アクセサリーの取付具は下げ飾りであるペンダントと連結させるには良いが鎖の両端と連結させるには装飾体とフックアームを嵌合させる構造ではないために鎖との連結が外れ易く汎用性に欠けるものである。
【０００７】
【特許文献１】特開平８−２０５９１３号公報
【特許文献２】登録実用新案第３０５６２７４号公報
【考案の開示】
【考案が解決しようとする課題】
【０００８】
本考案は上記を鑑み解決しようとする問題点は、ペンダントにチェーンを挿通する場合は、チェーンより連結金具を取り外すことなく取り付けができる大きさとし、そして、部品点数を少なくして連結金具本体の軽量化を図るとともに連結操作が簡単であり、確実性の高い連結と外し易さとを両立させた連結金具とする。
【０００９】
また、ネックレスとブレスレットを連結金具にて連結してロングネックレスとしての使用と、複数個用いて装飾パーツを兼ねた使用に対しても装飾性も兼ね備えた低コストの連結金具を提供することを目的としたものである。
【課題を解決するための手段】
【００１０】
前記目的を達成するために、請求項１に係る考案は、装飾用紐状体を連結する外殻体と係合体とからなり、前記外殻体は、筒体にて両端に開口部を有するとともに周壁には前記係合体の突起部と嵌合する嵌合穴を設けて形成、前記係合体は、湾曲形状にて前記外殻体より長さ寸法が長く、且つ、前記外殻体内に挿入可能とするとともにバネ作用部と、突起部と、装飾用紐状体と連結する鉤状部分とを設けて形成し前記係合体を前記外殻体の開口部より挿入して該外殻体を摺動させることにより係合体のバネ作用部の弾性にて前記外殻体の嵌合穴と前記突起部を嵌合させることを特徴としたものである。
【００１１】
また、請求項２に係る考案は、上記連結金具の外殻体が装飾体に埋め込まれていることを特徴とするものである。
【考案の効果】
【００１２】
本考案の連結金具は、ネックレス等の両端を確実に連結して輪状に形成させることは勿論のこと、ペンダントの挿入も熟練を要さず、そして、金具本体の軽量化及び低コストを実現したことにより、装飾体に埋め込み複数個用いての装飾パーツを兼ねた使用ができるとともに連結金具のみを複数個用いての連結もできるので汎用性のある連結金具の提供が可能となった。
【考案を実施するための最良の形態】
【００１３】
以下、本考案の実施例を図面に基づいて詳細に説明する。図１は本考案の連結金具を構成する外殻体１０と係合体２０を斜視にて図示し、接続環４、４ａを有する装飾用紐状体３０を用いて連結する状態を示すものである。
【００１４】
連結金具と装飾用紐状体３０の一端と連結させるには、装飾用紐状体３０の一端に取り付けてある接続環４を係合体２０のバネ作用部２１側に通した後、係合体２０に外殻体１０を挿入して嵌合状態にすることにより装飾用紐状体３０の一端と連結金具は連結状態となる。
【００１５】
図２は、連結金具を構成する外殻体１０と係合体２０を正面図で示し、
（ａ）の外殻体１０は、楕円の筒体にて両端に開口部１、１ａを有するとともに周壁２には係合体２０の突起部２２と嵌合する嵌合穴３を設けて形成したものである。
（ｂ）の係合体２０は、半甲丸線を湾曲形状に成形して外殻体１０より長さ寸法を長くするとともに外殻体１０内に挿入可能な高さにして湾曲したバネ作用部２１と、突起部２２と、装飾用紐状体３０と連結する鉤状部分２３とを設けて形成したものである。
実施にあたっては、半甲丸線を用いたが、本考案は限定するものではなく丸線を用いて係合体２０を形成させてもよい。
【００１６】
図３〜図６は、外殻体１０と係合体２０の嵌合状態を図示したものであり、係合体２０を外殻体１０の開口部１より挿入して、外殻体１０を摺動させることにより、係合体２０のバネ作用部２１の弾性にて外殻体１０の嵌合穴３と突起部３３が嵌合した状態を示したものである。
【００１７】
図７は、装飾用紐状体３０の一端に取り付けてある接続環４を係合体２０のバネ作用部２１側に通した後、係合体２０に外殻体１０を挿入して嵌合状態にすることにより装飾用紐状体３０の一端と連結可能となり、そして、外殻体１０をバネ作用部２１側に摺動させて嵌合を解除させることにより外殻体１０の開口部１ａ側に係合体２０の鉤状部分２３が開口した状態となり、鉤状部分２３に装飾用紐状体３０の他端に取り付けてある接続環４ａを引っ掛けた状態を示したものである。
【００１８】
そして、外殻体１０を係合体２０と嵌合する方向に摺動させることにより外殻体１０によって鉤状部分２３の口が閉じて装飾用紐状体３０の両端が連結金具と連結された状態となる。
【００１９】
本考案によれば、連結金具と装飾用紐状体３０を連結させる接続環１、１ａは、外殻体１０の内径より大きい寸法のものを用いることにより、係合体２０に外殻体１０を挿入して摺動させても外殻体１０は接続環１、１ａにて抜け出ることは無い構成としたものである。また、接続環１、１ａの形状は限定するものではなく接続できる孔を有してデザインを施したプレートとしても良い。
【００２０】
図８の実施例は、請求項２に係わる連結金具の外殻体１０を装飾体２４である中空の丸玉として埋め込んで連結金具としたものであり、複数個用いて装飾パーツを兼ね備えるとともに使用に対しても装飾性も兼ね備えた連結金具となった。
【００２１】
実施例において、装飾体２４として中空の丸玉を用いたが、本考案は、限定するものではなく中空のカットボール、真珠等の宝石を用いることでより装飾性を得ることができる。
【図面の簡単な説明】
【００２２】
【図１】本考案の連結金具の構成及び装飾用紐状体を示す斜視図である。
【図２】本考案の連結金具を構成する外殻体と係合体を示す正面図である。
【図３】本考案の連結金具の嵌合状態を示す正面図である。
【図４】本考案の連結金具の嵌合状態を示す平面図である。
【図５】本考案の連結金具の嵌合状態を示す右側面図である。
【図６】図５Ａ−Ａ線断面図である。
【図７】連結金具の嵌合を解除した状態を示す概念図である。
【図８】外殻体を装飾体に埋め込み係合体と嵌合した状態を示す概念図である。
【符号の説明】
【００２３】
１    開口部
２    周壁
３    嵌合穴
４    接続環
１０    外殻体
２０    係合体
２１    バネ作用部
２２    突起部
２３    鉤状部分
２４    装飾体
３０    装飾用紐状体
【図１】
0003111995.tif 000003
【図２】
0003111995.tif 000004
【図３】
0003111995.tif 000005
【図４】
0003111995.tif 000006
【図５】
0003111995.tif 000007
【図６】
0003111995.tif 000008
【図７】
0003111995.tif 000009
【図８】
0003111995.tif 000010